(57)【要約】【課題】二次電池の劣化が如実に表れるまでに、二次電池への充電を停止し、二次電池の劣化を防止し、二次電池の使用を長時間可能とする。【解決手段】温度情報取得部（１１）が取得した二次電池温度情報から、重み付け値選定部（１２）が重み付け値を選定し、その重み付け値を重み付け値積算部（１３）が積算し、その積算された重み付け値が閾値になると、充電停止部（１４）が二次電池（２）への充電を停止する充電制御装置（１）を備える。【選択図】図１
2014131451.tif 000002
【特許請求の範囲】
【請求項１】
電子機器に内蔵された二次電池の温度を示す二次電池温度情報を取得する温度情報取得手段と、
上記温度情報取得手段が取得した上記二次電池温度情報から重み付け値を選定する重み付け値選定手段と、
上記重み付け値選定手段が選定した重み付け値を積算する重み付け値積算手段と、
上記重み付け値積算手段が積算した重み付け値が閾値以上になると上記二次電池への充電を停止する充電停止手段と、を
備えていることを特徴とする充電制御装置。
【請求項２】
上記重み付け値選定手段は、上記二次電池の温度と上記重み付け値とが対応付けられた重み付け値テーブルを参照し、上記温度情報取得手段が取得した上記二次電池温度情報から上記重み付け値を選定することを特徴とする請求項１に記載の充電制御装置。
【請求項３】
上記温度情報取得手段が、上記二次電池の周辺に設けられた周辺デバイスの温度を周辺デバイス温度として検出する周辺デバイス温度センサから、上記周辺デバイスの温度を示す周辺デバイス温度情報を取得し、さらに、周辺デバイス温度と二次電池の温度とが対応付けられた温度相関テーブルを参照して、上記周辺デバイス温度情報から上記二次電池温度情報を得ることを特徴とする請求項１または２に記載の充電制御装置。
【請求項４】
上記電子機器は携帯端末であるとともに、
請求項１から３のいずれか１項に記載の充電制御装置を備えていることを特徴とする携帯端末。
【請求項５】
請求項１から３のいずれか１項に記載の充電制御装置としてコンピュータを機能させるための充電制御プログラムであって、コンピュータを上記各手段として機能させるための充電制御プログラム。
【発明の詳細な説明】
【技術分野】
【０００１】
本発明は、充電制御装置、携帯端末および充電制御プログラムに関し、特に携帯端末等の電子機器に内蔵された二次電池の充電を制御する充電制御装置に関する。
【背景技術】
【０００２】
電子機器には、当該電子機器に内蔵された二次電池によって電力を供給されるものが存在する。特に、携帯端末など、ユーザに持ち運びされる電子機器には、二次電池が内蔵されることが多い。
【０００３】
ところが、このような電子機器の動作中、上記電子機器に内蔵された二次電池が高温となる場合がある。例えば、携帯端末では、情報処理を行う制御部が高温となることによって、その近傍に位置する二次電池も高温となる。その他に、二次電池に対する充電および／または放電を行う充電制御装置から上記二次電池に供給される充電電流が、上記二次電池の温度を上昇させる場合がある。
【０００４】
このように、二次電池が高温となることは、上記二次電池において電池劣化が発生したり、あるいは上記二次電池が内蔵された電子機器に障害が発生したりする原因となる可能性がある。また、電子機器が通常に使用を想定される温度よりも高い温度である時間が長く持続することは、様々な問題を引き起こすために好ましいことではない。
【０００５】
そこで、従来、二次電池、電子機器、または充電制御装置の測定温度に基づいて、電子機器または充電制御装置の動作を制御する発明が開示されている。例えば、特許文献１から３には、測定温度が所定値以上である場合に、二次電池への充電の停止、充電電圧値の低減、または装置において実行される処理動作の停止を行う技術が記載されている。また、上記技術に関連して、特許文献４には、二次電池あるいは電子機器自体の温度をより正確に測定するため、２つの温度センサを備えた携帯電子機器が記載されている。
【先行技術文献】
【特許文献】
【０００６】
【特許文献１】特開平２    −２４６７３９号公報（１９９０年１０月  ２日公開）
【特許文献２】特開２００７−  ４３４２２号公報（２００７年  ２月１５日公開）
【特許文献３】特開２０１２−１１５０８０号公報（２０１２年  ６月１４日公開）
【特許文献４】特開２０１０−  ２５７５４号公報（２０１０年  ２月  ４日公開）
【発明の概要】
【発明が解決しようとする課題】
【０００７】
しかしながら、上述のような従来技術は、二次電池が高温となる状態を継続させ、二次電池の劣化が顕著に表れるという問題がある。
【０００８】
本発明は、上記の問題点に鑑みてなされたものであって、その目的は、二次電池の劣化が如実に表れるまでに、二次電池への充電を停止し、二次電池の劣化を防止して二次電池の使用を長時間可能とすることにある。
【課題を解決するための手段】
【０００９】
上記の課題を解決するために、本発明の一態様に係る充電制御装置は、電子機器に内蔵された二次電池の温度を示す二次電池温度情報を取得する温度情報取得手段と、上記温度情報取得手段が取得した上記二次電池温度情報から重み付け値を選定する重み付け値選定手段と、上記重み付け値選定手段が選定した重み付け値を積算する重み付け値積算手段と、上記重み付け値積算手段が積算した重み付け値が閾値以上になると上記二次電池への充電を停止する充電停止手段と、を備えているものである。
【発明の効果】
【００１０】
本発明の一態様によれば、温度情報取得手段が取得した二次電池温度情報から、重み付け値選定手段が重み付け値を選定し、その重み付け値を重み付け値積算手段が積算し、その積算された重み付け値が閾値になると、充電停止手段が二次電池への充電を停止する。
【００１１】
すなわち、この重み付け値について、二次電池の劣化がさほど進まない電池温度から、劣化速度が顕著に大きくなる電池温度まで、温度の増加分に従って重み付け値が大きくなるように設定し、かつ、重み付け値の積算値の閾値を、二次電池の劣化速度が顕著に大きくなる時間に対応するよう設定しておく。これにより、充電停止手段が、二次電池の劣化が如実に表れるタイミングを的確に判断できる。それゆえ、充電停止手段は、二次電池の劣化が如実に表れるまでに、二次電池への充電を停止し、二次電池の劣化を防止することができ、二次電池の使用を長時間可能とする効果を奏する。
【図面の簡単な説明】
【００１２】
【図１】本発明の一実施形態に係る充電制御装置を備えた電子機器の構成を示すブロック図である。
【図２】図１の電子機器により実行される動作のフローチャートである。
【図３】図２において、二次電池温度情報を決定する温度情報取得部の動作（Ｓ３）を具体的に記載したフローチャートである。
【図４】図１の電子機器に設けられた重み付け値テーブルを示す図である。
【図５】図１の電子機器に設けられた温度相関テーブルを示す図である。
【発明を実施するための形態】
【００１３】
本発明の実施の一形態について図１〜図５に基づいて説明すれば以下のとおりである。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１４】
〔１．装置構成について〕
まず、図１に基づき、本発明を実現するための電子機器１０の概要構成について説明する。図１は、電子機器１０の全体の概要構成を示すブロック図である。同図に示すように、電子機器１０は、充電制御装置１と、二次電池２と、二次電池温度センサ３と、二次電池の周辺に設けられたデバイス４（以下、単に“周辺デバイス”という）と、周辺デバイス温度センサ５と、記憶部６と、を備えている。
【００１５】
二次電池２は、蓄電池、充電式電池ともいい、おもに電子機器に内蔵される。二次電池の例としては、リチウムイオンやリチウムポリマーを用いたものが挙げられる。
【００１６】
二次電池温度センサ３は、電子機器１０に内蔵された二次電池２の温度を二次電池温度として検出するものである。二次電池温度センサ３は、例えばサーミスタにより構成される。
【００１７】
二次電池の周辺デバイス４は、電子機器１０に内蔵された二次電池２の周辺に設けられており、二次電池２の温度に変化を生じさせやすいデバイスである。このような周辺デバイスとしては、たとえばＣＰＵやＧＰＳセンサが挙げられる。
【００１８】
周辺デバイス温度センサ５は、周辺デバイス４の温度を周辺デバイス温度情報として検出するものであり、たとえばサーミスタにより構成される。
【００１９】
記憶部６は、ＨＤＤ（Hard Disk Drive）やフラッシュメモリにより実現されるものであり、温度相関テーブル６ａおよび重み付け値テーブル６ｂを備える。これら２つのテーブルの詳細については後述する。
【００２０】
また、充電制御装置１は、温度情報取得部１１と、重み付け値選定部１２と、重み付け値積算部１３と、充電停止部１４とを備えている。温度情報取得部１１は、電子機器１０に内蔵された二次電池２の温度を示す二次電池温度情報を取得するものである。二次電池温度情報を取得する実施形態としては、３つの実施形態が想定される。この３つの実施形態の詳細については、後述する。重み付け値選定部１２は、温度情報取得部１１が取得した二次電池温度情報に対して、重み付け値テーブル６ｂを参照して、実験等により得られた適切な重み付け値を選定するものである。重み付け値積算部１３は、重み付け値選定部１２が選定した重み付け値を積算するものである。充電停止部１４は、重み付け値積算部１３が積算した重み付け値が閾値以上になると二次電池２への充電を停止する。
【００２１】
以上に説明した構成の電子機器１０において、充電制御装置１は、二次電池２の劣化が如実に表れるまでに、二次電池２への充電を停止する。これによって、二次電池２の劣化を防止することができ、二次電池２の使用が長時間可能となるという効果を奏するものである。以下、当該効果が奏される点について説明するとともに、前掲した３つの実施形態についても説明する。以下、本発明の実施形態について、図２〜図５を用いて詳細に説明する。
【００２２】
〔２．共通フローについて〕
最初に、図２を用いて、図１に示す構成の電子機器１０により実行される処理の共通フローについて説明する。
【００２３】
まず、温度情報取得部１１は二次電池温度センサ３により直接検出された二次電池温度を取得する（ステップ１。以下、“ステップ”は単に“Ｓ”と記載する）。一方で、温度情報取得部１１は周辺デバイス温度センサ５により検出された周辺デバイス温度情報を取得する（Ｓ２）。そして、温度情報取得部１１が、Ｓ１で取得した二次電池温度、およびＳ２で取得した周辺デバイス温度情報の少なくとも一方を用いて、二次電池温度情報を決定する（Ｓ３）。
【００２４】
なお、後述の〔実施形態１〕においては、Ｓ１で取得した二次電池温度（二次電池温度α）が二次電池温度情報として決定される。また、後述の〔実施形態２〕においては、Ｓ２で取得した周辺デバイス温度情報を温度相関テーブル６ａによって変換して得られる二次電池温度（二次電池温度β）が、二次電池温度情報として決定される。さらに、後述の〔実施形態３〕においては、二次電池温度αおよび二次電池温度βのうち、高い方が二次電池温度情報として決定される。これら実施形態１〜３の詳細については、図２のフローチャートに係る説明の後段に記載する。
【００２５】
そして、Ｓ３にて二次電池温度情報が決定された後、重み付け値選定部１２は、重み付け値テーブル６ｂを参照して、Ｓ３にて決定された二次電池温度情報に対応した重み付け値を選定する（Ｓ４）。
【００２６】
ここで、図４を用いて、図１に示す構成の電子機器１０に内蔵されている重み付け値テーブル６ｂの設定について詳しく説明する。重み付け値テーブル６ｂは、二次電池温度情報に対応するように重み付け値を設定したものであり、実験等により得られた適切な重み付け値が、すなわち、低温時には長時間で、高温時には短時間で、積算された重み付け値が大きくなるような値が、あらかじめ格納されている。
【００２７】
例えば、４３℃から徐々に劣化が始まり、５０℃以上で充放電を繰り返すと、二次電池の劣化が顕著に表れるようなリチウムイオン電池も存在する。このようなリチウムイオン電池については、図４に示すように、二次電池（４３℃）に対しては重み付け値（２０）を、二次電池温度（５０℃）に対しては重み付け値（４５００）を設定すればよい。また、二次電池の劣化は二次電池温度が高くなればなるほど短時間で顕著に表れる。このため、図４に示す重み付け値テーブル６ｂでは、二次電池温度が高温になればなるほど重み付け値を大きくなるように設定している。
【００２８】
また、一般に、二次電池の温度が一定以上になると、二次電池の劣化は顕著に表れ始め、高温で充放電を繰り返すと、二次電池の容量が減り、且つ二次電池内部にガスが発生し膨らむ。特に、リチウムイオンやリチウムポリマーといった充電可能な二次電池は、容量が高い状態で高温放置させると二次電池が膨らみやすく、二次電池の劣化が顕著に表れやすい特性を持っている。このような不具合は、二次電池容量が大きいほど、如実に表れる。よって、二次電池容量の大きさに応じて、異なる重み付け値テーブルを用意した方が望ましい。
【００２９】
そして、重み付け値積算部１３は、Ｓ４において重み付け値選定部１２が選定した重み付け値を積算し（図２のＳ５）、充電停止部１４は、重み付け値積算部１３により積算された重み付け値があらかじめ決められた閾値以上になると（Ｓ６）、二次電池２への充電を停止する（Ｓ８）。
【００３０】
例えば、温度情報取得部１１が二次電池温度情報として４３℃を決定した場合、重み付け値選定部１２は、重み付け値テーブル６ｂを参照して、温度情報取得部１１が取得した二次電池温度情報（４３℃）に対応した重み付け値（２０）を選定する。重み付け値積算部１３は、重み付け値選定部１２が選定した重み付け値（２０）を積算していく。
【００３１】
仮に、温度情報取得部１１からの二次電池温度情報（４３℃）が継続して重み付け値選定部１２に通知された場合、重み付け値積算部１３は、１０秒カウンタで重み付け値（２０）を積算していく。充電停止部１４は、重み付け値積算部１３が積算した重み付け値が、重み付け値の閾値（５４０００）以上になると、二次電池２への充電を停止する。すなわち、温度情報取得部１１からの二次電池温度情報が４３℃になってから７時間３０分で、充電停止部１４は、二次電池２への充電を停止する。
【００３２】
また、仮に、温度情報取得部１１からの二次電池温度情報（５０℃）が継続して重み付け値選定部１２に通知された場合、重み付け値積算部１３は、１０秒カウンタで重み付け値（４５００）を積算していく。充電停止部１４は、重み付け値積算部１３が積算した重み付け値が、重み付け値の閾値（５４０００）以上になると、二次電池２への充電を停止する。すなわち、温度情報取得部１１からの二次電池温度情報が５０℃になってから２分で、充電停止部１４は、二次電池２への充電を停止する。
【００３３】
また、重み付け値積算部１３により積算された重み付け値が閾値未満の場合は、Ｓ７に示すように、充電制御装置１は、二次電池２への充電を継続する。そして、充電を継続しつつ、再度、充電制御装置１は、図２のフローチャートの初期のステップを繰り返す。すなわち、充電制御装置１は、Ｓ１およびＳ２の処理を再度実行する。
【００３４】
以上の構成によれば、温度情報取得部１１が取得した二次電池温度情報から、重み付け値選定部１２が重み付け値を選定し、その重み付け値を重み付け値積算部１３が積算し、その積算された重み付け値が閾値になると、充電停止部１４が二次電池２への充電を停止する。すなわち、この重み付け値について、二次電池２の劣化がさほど進まない電池温度から、二次電池２の劣化速度が顕著に大きくなる電池温度まで、温度の増加分に従って重み付け値が大きくなるように設定し、かつ、重み付け値の積算値の閾値を、二次電池２の劣化速度が顕著に大きくなる時間に対応するよう設定しておく。これにより、充電停止部１４は、二次電池２の劣化が如実に表れるタイミングを的確に判断できる。それゆえ、充電停止部１４は、二次電池２の劣化が如実に表れるまでに、二次電池２への充電を停止し、二次電池２の劣化を防止することができ、二次電池３の使用が長時間可能となる。
【００３５】
〔３．実施形態１〕
次に、図３を用いて温度情報取得部１１の動作についての一例を詳しく説明する。本実施形態では、二次電池温度センサ３が検出した二次電池温度を二次電池温度情報とする場合で、図３におけるＳ１と、Ｓ３１と、Ｓ３５とを想定している。なお、Ｓ２と、Ｓ３２〜Ｓ３４と、Ｓ３６と、Ｓ３７とは、実施形態２および実施形態３にて後述する。
【００３６】
温度情報取得部１１は、二次電池温度センサ３からの二次電池温度（二次電池温度α）を取得し（Ｓ１）、二次電池温度αが、電池劣化が顕著に表れる温度以上であれば（Ｓ３１）、温度情報取得部１１は、二次電池αを二次電池温度情報として決定し（Ｓ３５）、重み付け値選定部１２へ通知する。
【００３７】
上記の構成によれば、温度情報取得部１１は、二次電池温度センサ３が直接検出した二次電池温度（二次電池温度α）を、二次電池温度情報として決定する。このため、温度情報取得部１１は、二次電池温度情報を正確に決定することができるので、二次電池２の劣化が如実に表れる状態になるリスクを確実に回避できる。それゆえ、二次電池２の劣化を的確に防止することができ、二次電池２の使用が長時間可能となる。
【００３８】
また、上記構成によれば、周辺デバイス温度センサ５を使用しないので、温度情報取得部１１は、周辺デバイス温度センサ５により検出された周辺デバイス温度を取得し、温度相関テーブル６ａを参照して周辺デバイス温度を二次電池温度（二次電池温度β）に変換し、二次電池温度αと二次電池温度βとを比較するという処理を省略できる。このため、二次電池温度を取得してから充電停止に至るまでの処理を迅速に行うことができ、温度情報取得部１１が、二次電池温度センサ３からの二次電池温度αを取得してから二次電池温度情報を決定するまでの時間を短縮できる。それゆえ、充電停止部１４は、二次電池温度αの変化に対応して即時的に、二次電池２の劣化が如実に表れるまでに二次電池２への充電を停止し、二次電池２の劣化を防止することができ、二次電池２の使用を長時間可能とする。
【００３９】
〔４．実施形態２〕
次に、図３を用いて温度情報取得部１１の動作についての別の例を詳しく説明する。本実施形態では、周辺デバイス温度センサ５が検出した周辺デバイス温度情報から二次電池温度情報を決定する場合で、図３におけるＳ１と、Ｓ２と、Ｓ３１〜Ｓ３４と、Ｓ３６とを想定している。なお、Ｓ３７は、実施形態３にて後述する。
【００４０】
温度情報取得部１１は、二次電池温度センサ３により直接検出された二次電池温度（二次電池温度α）を取得する（Ｓ１）。一方で、温度情報取得部は、周辺デバイス温度センサ５からの周辺デバイス温度情報を取得し（Ｓ２）、温度相関テーブル６ａを参照して（Ｓ３２）、Ｓ２にて取得した周辺デバイス温度情報に対応した二次電池温度（二次電池温度β）を取得する（Ｓ３３）。
【００４１】
ここで、図５を用いて、図１に示す構成の電子機器１０に内蔵されている温度相関テーブル６ａの設定について説明する。温度相関テーブル６ａは、周辺デバイス温度情報に対応するように二次電池温度を設定したものであり、実験等により得られた適切な二次電池温度があらかじめ格納されている。例えば、二次電池温度よりも周辺デバイス温度が高くなった場合、二次電池２は周辺デバイス４からの熱輻射の影響により高温になり、二次電池２の劣化が進むことがある。このため、周辺デバイス温度情報（４５℃）に対しては二次電池温度（４０℃）などが設定されている。
【００４２】
そして、温度情報取得部１１は、二次電池温度αが二次電池温度βよりも高温で、且つ二次電池温度αが二次電池２の劣化が顕著に表れる温度以上かどうかを判断する（図３のＳ３１）。そして、二次電池温度αが二次電池温度β以下であるか、または、二次電池温度αが二次電池２の劣化が顕著に表れる温度未満であれば、温度情報取得部１１は、二次電池温度αと二次電池温度βとの差を取り、この差が適正範囲外であるかどうかを判断する（Ｓ３４）。この二次電池温度差の適正範囲は、例えば３℃と設定することができる。さらに、この差が適正範囲外であれば、温度情報取得部１１は、二次電池温度βを二次電池温度情報として決定し（Ｓ３６）、重み付け値選定部１２へ通知する。
【００４３】
例えば、真夏の炎天下での車中やストーブなどの暖房装置といったような、電子機器１０とは無関係の外部要素により、電子機器１０が急激に温められた場合、二次電池２よりも先に二次電池２の周辺デバイス４が急激に高温になることが多い。そして、この周辺デバイス４の温度による熱輻射で、二次電池２が急激に高温にさらされ、二次電池２の劣化が如実に表れる可能性が高まる。このような状況に対応して充電停止部１４が二次電池２への充電を停止できるように、温度情報取得部１１は二次電池温度αと二次電池温度βとの差をとり、この差が適正範囲外である場合に、温度情報取得部１１は、二次電池温度αよりも高温である二次電池温度βを二次電池温度情報として決定する。
【００４４】
また、例えば、万一、二次電池温度センサ３が故障した場合、二次電池２の正確な温度を測定することができなくなる。このとき、温度情報取得部１１は、周辺デバイス温度センサ５からの周辺デバイス温度情報を取得し、温度相関テーブル６ａを参照して、二次電池温度（二次電池温度β）を間接的に取得する。このとき、温度情報取得部１１は、二次電池温度αを取得していないので、二次電池温度αと二次電池温度βとの差は、適正範囲内にはならない（すなわち、適正範囲外となる）。よって、温度情報取得部１１は、二次電池温度βを二次電池温度情報として決定する。
【００４５】
上記の構成によれば、温度情報取得部１１は、周辺デバイス温度センサ５から周辺デバイス温度情報を取得し、温度相関テーブル６ａを参照して、周辺デバイス温度情報から二次電池温度情報を取得する。
【００４６】
これにより、温度情報取得部１１は、例えば、二次電池２の周辺デバイス４による熱輻射で二次電池２が高温になる場合に、周辺デバイス温度センサ５と温度相関テーブル６ａとを用いて、二次電池温度情報を取得できる。また、温度情報取得部１１は、二次電池２の温度を直接検出する二次電池温度センサ３が故障した場合に、周辺デバイス温度センサ５と温度相関テーブル６ａとを用いて、二次電池温度情報を取得できる。
【００４７】
よって、二次電池２の劣化が如実に表れる状態になるリスクを、確実に回避できる。それゆえ、二次電池２の劣化を的確に防止することができ、二次電池２の使用を長時間可能とする。
【００４８】
〔５．実施形態３〕
次に、図３を用いて温度情報取得部１１の動作についての別の例を詳しく説明する。本実施形態では、二次電池温度センサ３が検出した二次電池温度と、周辺デバイス温度センサ５が検出した周辺デバイス温度情報と、から二次電池温度情報を決定する場合で、図３におけるＳ１と、Ｓ２と、Ｓ３１〜Ｓ３４と、Ｓ３７とを想定している。
【００４９】
温度情報取得部１１は、二次電池温度センサ３により直接検出された二次電池温度（二次電池温度α）を取得する（Ｓ１）。一方で、温度情報取得部１１は、周辺デバイス温度センサ５により検出された周辺デバイス温度情報を取得し（Ｓ２）、温度相関テーブル６ａを参照して（Ｓ３２）、Ｓ２にて取得した周辺デバイス温度情報に対応した二次電池温度（二次電池温度β）を取得する（Ｓ３３）。
【００５０】
そして、温度情報取得部１１は、二次電池温度αが二次電池温度βよりも高温で、且つ二次電池温度αが二次電池２の劣化が顕著に表れる温度以上かどうかを判断する（Ｓ３１）。そして、二次電池温度αが二次電池温度β以下であるか、または、二次電池温度αが二次電池２の劣化が顕著に表れる温度未満であれば、温度情報取得部１１は、二次電池温度αと二次電池温度βとの差を取り、この差が適正範囲外であるかどうかを判断する（Ｓ３４）。さらに、この差が適正範囲外でなければ、温度情報取得部１１は、二次電池温度αおよび二次電池温度βのうち、高い方を二次電池温度情報として決定し（Ｓ３７）、重み付け値選定部１２へ通知する。
【００５１】
例えば、ＣＰＵやＧＰＳセンサのような周辺デバイス４が、二次電池２とは無関係に特定の動作をすることで、周辺デバイス４内の電流が増えジュール熱が大きくなり、周辺デバイス４の温度が上昇することがある。このような周辺デバイス４が二次電池２に近ければ近いほど、二次電池２は周辺デバイス４による熱輻射の影響を受けて、高温になりやすく、二次電池２の劣化が進む可能性が高まる。
【００５２】
ここで、二次電池２に温度変化を生じさせやすい周辺デバイス４付近に、周辺デバイス温度センサ５を設置しておけば、温度情報取得部１１は、周辺デバイス温度センサ５が検出した周辺デバイス温度情報を、温度相関テーブル６ａを参照して二次電池温度（二次電池温度β）に変換する。これにより、温度情報取得部１１は、二次電池温度センサ３が直接検出した二次電池温度（二次電池温度α）を取得するだけでなく、間接的に二次電池温度（二次電池温度β）を取得する。そして、温度情報取得部１１は、直接検出された二次電池温度（二次電池温度α）と、間接的に得られた二次電池温度（二次電池温度β）とを比較し、二次電池温度αおよび二次電池温度βのうち、高い方を二次電池温度情報として決定する。上記の構成によれば、温度情報取得部１１は、二次電池温度センサ３と周辺デバイス温度センサ５と温度相関テーブル６ａとを用いて、二次電池の温度が高いほど二次電池の劣化が顕著に表れるので、より高い二次電池温度情報を取得する。これにより、重み付け値選定部１２は、温度情報取得部１１が取得した高い温度に対応して重み付け値を選定することができ、二次電池２の劣化が如実に表れる状態になるリスクを、確実に回避できる。それゆえ、二次電池２の劣化を的確に防止することができ、二次電池２の使用を長時間可能とする。
【００５３】
〔ソフトウェアによる実現例〕
充電制御装置１の制御ブロック（特に温度情報取得部１１、重み付け値選定部１２、重み付け値積算部１３、および充電停止部１４）は、集積回路（ＩＣチップ）等に形成された論理回路（ハードウェア）によって実現してもよいし、ＣＰＵ（Central Processing Unit）を用いてソフトウェアによって実現してもよい。
【００５４】
後者の場合、充電制御装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５５】
〔まとめ〕
本発明の態様１に係る充電制御装置１は、電子機器１０に内蔵された二次電池２の温度を示す二次電池温度情報を取得する温度情報取得手段（温度情報取得部１１）と、温度情報取得手段が取得した二次電池温度情報から重み付け値を選定する重み付け値選定手段（重み付け値選定部１２）と、重み付け値選定手段が選定した重み付け値を積算する重み付け値積算手段（重み付け値積算部１３）と、重み付け値積算手段が積算した重み付け値が閾値以上になると二次電池への充電を停止する充電停止手段（充電停止部１４）と、を備える構成である。
【００５６】
上記の構成によれば、温度情報取得手段が取得した二次電池温度情報から、重み付け値選定手段が重み付け値を選定し、その重み付け値を重み付け値積算手段が積算し、その積算された重み付け値が閾値になると、充電停止手段が二次電池への充電を停止する。すなわち、この重み付け値について、二次電池の劣化がさほど進まない電池温度から、劣化速度が顕著に大きくなる電池温度まで、温度の増加分に従って重み付け値が大きくなるように設定し、かつ、重み付け値の積算値の閾値を、二次電池の劣化速度が顕著に大きくなる時間に対応するよう設定しておく。これにより、充電停止手段が、二次電池の劣化が如実に表れるタイミングを的確に判断できる。それゆえ、充電停止手段は、二次電池の劣化が如実に表れるまでに、二次電池への充電を停止し、二次電池の劣化を防止することができ、二次電池の使用を長時間可能とする。
【００５７】
本発明の態様２に係る充電制御装置は、上記態様１において、二次電池の温度と重み付け値とが対応付けられた重み付け値テーブル６ｂを参照し、温度情報取得手段が取得した二次電池温度情報から重み付け値を選定する重み付け値選定手段を備えていてもよい。
【００５８】
上記の構成によれば、重み付け値テーブルに、二次電池の温度に対応づけられた適切な重み付け値を実験等により得ておき、その適切な重み付け値を重み付け値テーブルに格納しておく。これにより、重み付け値選定手段は、温度情報取得手段が取得した二次電池温度情報から、適切な重み付け値を選定することができる。すなわち、二次電池の容量が高いときに、二次電池の劣化が如実に表れる状態になるリスクを確実に回避できる。それゆえ、二次電池の劣化を的確に防止することができ、二次電池の使用を長時間可能とする。
【００５９】
本発明の態様３に係る充電制御装置は、上記態様１または２において、二次電池の周辺に設けられた周辺デバイス（二次電池の周辺デバイス４）の温度を周辺デバイス温度として検出する周辺デバイス温度センサ５から、周辺デバイスの温度を示す周辺デバイス温度情報を取得し、さらに、周辺デバイス温度と二次電池の温度とが対応付けられた温度相関テーブル６ａを参照して、周辺デバイス温度情報から二次電池温度情報を得る温度情報取得手段を備えていてもよい。
【００６０】
上記の構成によれば、温度情報取得手段は、周辺デバイス温度センサから周辺デバイス温度情報を取得し、温度相関テーブルを参照して、周辺デバイス温度情報から二次電池温度情報を取得する。これにより、温度情報取得手段は、例えば、二次電池の周辺デバイスによる熱輻射で二次電池が高温になる場合に、周辺デバイス温度センサと温度相関テーブルとを用いて、二次電池温度情報を取得できる。また、温度情報取得手段は、二次電池の温度を直接検出する二次電池温度センサ３が故障した場合に、周辺デバイス温度センサと温度相関テーブルとを用いて、二次電池温度情報を取得できる。よって、二次電池の劣化が如実に表れる状態になるリスクを、確実に回避できる。それゆえ、二次電池の劣化を的確に防止することができ、二次電池の使用を長時間可能とする。
【００６１】
本発明の態様４に係る電子機器は、携帯端末であるとともに、上記態様１から３のいずれか１態様に記載の充電制御装置を備えている携帯端末であってもよい。
【００６２】
上記の構成によれば、充電停止手段が、二次電池の劣化が如実に表れるまでに、二次電池への充電を停止でき、二次電池の劣化を防止することができる携帯端末を実現できる。
【００６３】
本発明の各態様に係る充電制御装置は、コンピュータによって実現してもよく、この場合には、コンピュータを上記充電制御装置が備える各手段として動作させることにより上記充電制御装置をコンピュータにて実現させる充電制御装置の充電制御プログラム、およびそれを記録したコンピュータ読み取り可能な記録媒体も、本発明の範疇に入る。
【００６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６５】
本発明は、充電制御装置、携帯端末および充電制御プログラムに適用できる。特に携帯端末に内蔵された二次電池の充電を制御する充電制御装置などに利用することができる。
【符号の説明】
【００６６】
１    充電制御装置
２    二次電池
３    二次電池温度センサ
４    二次電池の周辺デバイス
５    周辺デバイス温度センサ
６    記憶部
６ａ  温度相関テーブル
６ｂ  重み付け値テーブル
１０  電子機器
１１  温度情報取得部（温度情報取得手段）
１２  重み付け値選定部（重み付け値選定手段）
１３  重み付け値積算部（重み付け値積算手段）
１４  充電停止部（充電停止手段）
【図１】
2014131451.tif 000003
【図２】
2014131451.tif 000004
【図３】
2014131451.tif 000005
【図４】
2014131451.tif 000006
【図５】
2014131451.tif 000007